(57)【要約】【課題】内容器の抜脱操作が容易であり、係止部の係止解除時に外容器が落下する虞がない付け替え式容器を提供する。【解決手段】付け替え式容器１は、内容物を収容する内容器１０と、これを収納する外容器３０と、内容器１０に装着されるキャップ５０を有する。外容器３０の外周部３１に切り欠き部３３を設ける。切り欠き部３３内に上下方向に延びる押圧板部３５を設ける。押圧板部３５は、切り欠き部３３に接続された支持部を支点にして、押圧板部３５の上側３５ａが径方向内側へ回動し、押圧板部３５の下側３５ｂが径方向外側へ回動可能である。押圧板部３５の下側３５ｂの内面に係止突起部３７を設ける。内容器１０の外周部１５に、押圧板部３５の上側３５ａが挿入可能な挿入凹部１９と、係止突起部３７を係止可能な係合凹部１３を設ける。係合凹部１３は、押圧板部３５が挿入凹部１９内に移動すると、係止突起部３７との係止状態が解除される。【選択図】  図２
2020196493.tif 000002
【特許請求の範囲】
【請求項１】
内容物を収容する有底筒状の内容器と、
前記内容器を収納する外容器と、
前記内容器の口部に着脱可能に装着されるキャップと、を有し、
前記外容器の外周部には、前記外周部の上端から下方へ延びて容器径方向に貫通する切り欠き部が設けられ、
前記切り欠き部内には、上下方向に延びるとともに、前記切り欠き部の上端から上方へ延出する押圧板部が設けられ、
前記押圧板部は、周方向両側の端面と前記切り欠き部の周方向両側の内面とに接続された支持部を支点にして、前記押圧板部の上側が押圧されることで容器径方向内側へ向かって回動するとともに、前記押圧板部の下側が容器径方向外側へ向かって回動可能であり、
前記押圧板部の下側の内面には、前記内容器側へ突出する係止突起部が設けられ、
前記内容器の外周部には、容器径方向内側へ向かって回動する前記押圧板部の上側を挿入可能な挿入凹部と、前記挿入凹部よりも下方に設けられ容器径方向内側に窪んで前記係止突起部を係止可能な係合凹部と、が設けられ、
前記係合凹部は、前記押圧板部の上側が押圧されて前記挿入凹部内に移動することで、前記係止突起部の係止状態を解除する
ことを特徴とする付け替え式容器。
【請求項２】
前記挿入凹部の容器径方向の内側上端隅部３５ｃには、縦断面視において内側から外側へ向かって上側へ傾斜する傾斜面が設けられ、
前記押圧板部の上側が押圧されて容器径方向内側へ向かって回動すると、前記押圧板部の前記内側上端隅部３５ｃが前記傾斜面に当接する
ことを特徴とする請求項１に記載の付け替え式容器。
【請求項３】
前記押圧板部の前記内側上端隅部３５ｃが前記傾斜面に当接して前記内容器が前記外容器に対して上方へ移動することによって、前記係合凹部が前記係止突起部を乗り越え可能な位置に移動する
ことを特徴とする請求項２に記載の付け替え式容器。
【請求項４】
前記外容器の前記外周部には、前記押圧板部が押圧操作されていない状態で、前記押圧板部よりも容器径方向外側に隙間を有して上下方向に延びるリブが設けられる
ことを特徴とする請求項１から３のいずれか１項に記載の付け替え式容器。
【発明の詳細な説明】
【技術分野】
【０００１】
本発明は、外容器内に内容器を着脱可能に収納して使用する付け替え式容器に関する。
【背景技術】
【０００２】
この種の付け替え式容器として、例えば特許文献１に記載されているように、クリーム等の内容物を収容する内容器と、内容器を収納する外容器と、を備える構成が知られている。この内容器は、外容器に対して出し入れ可能なレフィール容器であり、消費者によって外容器内に収納された内容器を取り外して新たな内容器に交換することで、外容器を再利用することができる。
【０００３】
この特許文献１に記載の内容器の外周部には、下方へ延びる押圧部が設けられる。この押圧部は、指等で内容器の径方向内側に向けて押圧されることで上端を支点として径方向内側に向けて回動する板片であり、内容器の周壁部の両側に周方向に１８０度間隔を有して配設されている。押圧部の外面には、径方向外側へ突出する係止部が設けられる。
【０００４】
一方、外容器の周壁部の上部には、内側方向へ突出して押圧部を係止する係合突起部が設けられる。係止部は、係合突起部を乗り越えた状態で係合突起部に係止される。
【先行技術文献】
【特許文献】
【０００５】
【特許文献１】特開２０１０−１９５４８４号公報
【発明の概要】
【発明が解決しようとする課題】
【０００６】
しかしながら、特許文献１に記載の付け替え式容器は、内容器を外容器から取り外す際に、上端に支点を有する押圧部が径方向内側に向けて押圧されると、押圧部の上端部は支点により移動が規制されるとともに、押圧部の下端部は外容器に設けられた凸条部に当接して径方向内側への移動が規制される。このため、内容器を外容器から引き抜く際に、係止部は係合突起部に浅く係止された状態になるので、係止部が係合突起部を乗り越えられない虞がある。
【０００７】
また、内容器を取り外す際に外容器を把持せずに押圧部を押圧操作して、係止部の係止状態を解除すると、内容器に対して外容器が落下する虞がある。
【０００８】
本発明は、上記した従来技術における問題点を解消すべく、内容器の抜脱操作が容易であり、係止部の係止解除時に内容器に対して外容器が落下する虞がない付け替え式容器を提供することを課題とする。
【課題を解決するための手段】
【０００９】
上記課題を解決するための手段のうち、本発明の主たる手段は、内容物を収容する有底筒状の内容器と、前記内容器を収納する外容器と、前記内容器の口部に着脱可能に装着されるキャップと、を有し、前記外容器の外周部には、前記外周部の上端から下方へ延びて容器径方向に貫通する切り欠き部が設けられ、前記切り欠き部内には、上下方向に延びるとともに、前記切り欠き部の上端から上方へ延出する押圧板部が設けられ、前記押圧板部は、周方向両側の端面と前記切り欠き部の周方向両側の内面とに接続された支持部を支点にして、前記押圧板部の上側が押圧されることで容器径方向内側へ向かって回動するとともに、前記押圧板部の下側が容器径方向外側へ向かって回動可能であり、前記押圧板部の下側の内面には、前記内容器側へ突出する係止突起部が設けられ、前記内容器の外周部には、容器径方向内側へ向かって回動する前記押圧板部の上側を挿入可能な挿入凹部と、前記挿入凹部よりも下方に設けられ容器径方向内側に窪んで前記係止突起部を係止可能な係合凹部と、が設けられ、前記係合凹部は、前記押圧板部の上側が押圧されて前記挿入凹部内に移動することで、前記係止突起部の係止状態を解除することを特徴とする付け替え式容器、と云うものである。
【００１０】
押圧板部の上側が内容器側へ向かって押圧されると、押圧板部は支点を介して押圧板部の上側が挿入凹部内に回動するとともに、押圧板部の下側が容器径方向外側に回動する。したがって、係止突起部が係合凹部から抜脱されて、係合凹部は、係止突起部の係止状態を解除する。このため、内容器を外容器から容易に引き抜くことができる。また、押圧板部は外容器に設けられているので、内容器を取り外す際に押圧板部の上側を内容器側へ向かって押圧する場合、外容器を把持しながら押圧板部を押圧操作することができる。このため、押圧板部を押圧操作して係合凹部の係止状態を解除したときに、外容器は押圧板部を介して把持されているので、外容器が落下する虞はない。
【００１１】
また、前記挿入凹部の容器径方向の内側上端隅部には、縦断面視において内側から外側へ向かって上側へ傾斜する傾斜面が設けられ、前記押圧板部の上側が押圧されて容器径方向内側へ向かって回動すると、前記押圧板部の内側上端隅部が前記傾斜面に当接して前記内側容器を上方へ移動させてもよい。
【００１２】
この場合、押圧板部の内側上端隅部が傾斜面に当接すると、傾斜面には、内側上端隅部と傾斜面との接触点を通って傾斜面に直交して接触点側と反対側方向を向く押圧力が作用する。この押圧力は上方を向くので、内容器を外容器に対して上方へ相対移動させることができる。
【００１３】
また、前記押圧板部の前記内側上端隅部が前記傾斜面に当接して前記内側容器が上方へ移動することによって、前記係合凹部が前記係止突起部を乗り越え可能な位置に移動してもよい。
【００１４】
この場合、押圧板部の内側上端隅部が傾斜面に当接して内容器が外容器に対して上方へ移動することによって、係合凹部が係止突起部を乗り越え可能な位置に移動するので、押圧板部の押圧操作を止めても係合凹部が係止突起部に係止されることはない。したがって、内容器を外容器から引き抜く操作を行うだけで、内容器を引き抜くことができ、内容器の引き抜き操作をより容易にすることができる。
【００１５】
また、外容器の外周部には、前記押圧板部が押圧操作されていない状態で、前記押圧板部よりも容器径方向外側に隙間を有して上下方向に延びるリブが設けられてもよい。
【００１６】
この場合、押圧部材に作用する押圧力が増大すると、支持部のねじれ角度が増大して支持部が破損する虞が生じる。そこで、外容器の外周部に、押圧板部よりも容器径方向外側に隙間を有して上下方向に延びるリブを設けることで、押圧板部の下側がリブに接触することで、押圧部材の回転角度を制限することができる。このため、支持部のねじれ角度も抑制されて、支持部の破損を防止することができる。
【発明の効果】
【００１７】
本発明によれば、内容器の引き抜き操作が容易であり、係止部の係止解除時に内容器に対して外容器が落下する虞がない付け替え式容器を提供することができる。
【図面の簡単な説明】
【００１８】
【図１】本発明の一実施形態に係る付け替え式容器の半裁断面図である。
【図２】付け替え式容器の一部縦断面図である。
【図３】図３（ａ）は、外容器の平面図であり、図３（ｂ）は、図３（ａ）のIIIａ矢視方向から見た外容器の半裁断面図であり、図３（ｃ）は、図３（ａ）のIIIｂ矢視方向から見た半裁断面図である。
【図４】押圧板部の回動と内容器の移動を説明するための説明図である。
【図５】本発明の付け替え式容器の外容器の実施例を説明するための図であり、図５（ａ）は、外容器の平面図であり、図５（ｂ）は、図５（ａ）のVIｂ矢視方向から見た外容器の半裁断面図である。
【発明を実施するための形態】
【００１９】
以下、図面を参照しながら、本発明の実施形態に係る付け替え式容器について説明する。本実施形態では、クリーム等の化粧料の内容物を収容可能な付け替え式容器について説明する。
【００２０】
以下の説明において、図面においては、図１に示す容器軸Ｏに沿う方向を「軸方向」と記述し、容器軸Ｏを中心とする径方向を単に「径方向」と記述する。また、容器軸Ｏを中心とする円周方向を「周方向」と記述する。また、図１に示すように、軸方向のうち、内容器に対してキャップが位置する方向を「上側」と記述し、その逆側を「下側」と記述する。
【００２１】
本実施形態の付け替え式容器１は、図１に示すように、内容器１０と、外容器３０と、キャップ５０と、を有する。本実施形態では、付け替え式容器１は、さらに外ケース３と、外キャップ５とを有する。内容器１０は、内容物を収容する有底筒状である。外容器３０は、内容器１０を収納する。キャップ５０は、内容器１０の口部１１に着脱可能に装着される。付け替え式容器１は、合成樹脂材料を使用して、例えば、射出成形等により形成される。以下、構成部材毎に詳細に説明する。
【００２２】
＜外容器３０＞
外容器３０は、図２に示すように、上部が開口して有底筒状に形成される。本実施形態では、外容器３０は円筒状に形成された外周部３１と、外周部３１の下端に繋がって平面視において円形状に形成された底部４０と、を有する。底部４０の周縁部は、径方向内側から外側へ向かって上方へ湾曲する。
【００２３】
外容器３０の外周部３１には、図３（ａ）及び図３（ｃ）に示すように、外周部３１の上端から下方へ延びて径方向に貫通する切り欠き部３３が設けられる。本実施形態では、外容器３０の外周部３１のうち、左右両側の外周部３１に切り欠き部３３が設けられる。切り欠き部３３は、周方向に所定の長さＬを有する。このため、切り欠き部３３は、平面視において湾曲する。また、切り欠き部３３の深さｈは、外容器の深さＨの約１／３の大きさを有する。
【００２４】
切り欠き部３３内には、上下方向に延びるとともに、切り欠き部３３の上端から上方へ延出する押圧板部３５が設けられる。押圧板部３５は、図３（ａ）、図３（ｂ）、図３（ｃ）に示すように、平面視において切り欠き部３３に沿って周方向に延びる。このため、押圧板部３５は、平面視において湾曲する。押圧板部３５は、図３（ｃ）に示すように、図３（ａ）に示すIIIb矢視方向から見た場合、横長の長方形状に形成される。押圧板部３５は、切り欠き部３３の内面よりも内側に隙間を有して配置される。
【００２５】
押圧板部３５は、図３（ｃ）に示すように、押圧板部３５の周方向両側の夫々の端面と切り欠き部３３の周方向両側の夫々の内面とに接続された支持部３６を支点にして径方向に回動可能である。押圧板部３５の上側３５ａが径方向内側へ向かって押圧されると、押圧板部３５の上側３５ａが径方向内側へ回動するとともに、押圧板部３５の下側３５ｂが径方向外側へ回動する。なお、押圧板部３５の上側３５ａとは、押圧板部３５の支持部３６よりも上側の部分をいう。また、押圧板部３５の下側３５ｂとは、押圧板部３５の支持部３６よりも下側の部分をいう。
【００２６】
本実施形態では、支持部３６は、押圧板部３５の周方向両側の夫々の端面の上側位置と切り欠き部３３の周方向両側の夫々の内面の上端位置との間に繋がる。なお、押圧板部３５及び支持部３６は、外容器３０の一部として一体形成される。
【００２７】
押圧板部３５の下側３５ｂの内面には、内容器１０側へ突出する係止突起部３７が設けられる。係止突起部３７は、図３（ｃ）及び図４（ａ）に示すように、押圧板部３５の内面の周方向に延びて設けられる。係止突起部３７の上部には、下側から上側へ向かって径方向外側へ傾斜する傾斜面３７ａを有する。また、係止突起部３７の下部には、径方向に延びる当接面３７ｂが設けられる。さらに、傾斜面３７ａと当接面３７ｂとの間には、これらを繋いで軸方向に延びる平面部３７ｃが設けられる。当接面３７ｂは、内容器１０に設けられた係合凹部１３の内面に当接する。
【００２８】
なお、図４（ａ）及び図４（ｂ）に示すように、外容器３０内に内容器１０が挿入される場合、内容器１０の外周部１５の外面が係止突起部３７の平面部３７ｃに摺接しながら移動するが、このとき、押圧板部３５は支持部３６を支点として押圧板部３５の下側３５ｂが内容器１０から離れる方向に回動するとともに、押圧板部３５の上側３５ａが内容器１０に接近する方向に回動する。このため、押圧板部３５の上側３５ａが内容器１０の外周部１５の外面に接触すると、内容器１０の挿入がし難くなる。従って、内容器１０の外周部１５が係止突起部３７の平面部３７ｃに摺動しているときには、押圧板部３５の上側３５ａは内容器１０の外周部１５の径方向外側に位置するように、押圧板部３５は構成されている。
【００２９】
外容器３０の外周部３１の上部には、図２に示すように、径方向外側へ突出する環状の第１鍔部４１が設けられる。第１鍔部４１の径方向先端部には、下方へ突出する第１嵌合筒部４２が設けられる。第１嵌合筒部４２は、その外面が上方から下方へ向かって径方向内側へ傾斜する第１傾斜面４３を有する。この第１傾斜面４３によって、図１に示す外ケース３の装着を容易にする。第１傾斜面４３には、径方向外側へ突出する係止突起部４４が設けられる。係止突起部４４は、外ケース３の内面に設けられた図示しない係合凹部と係合して、外ケース３が外容器３０の第１鍔部４１に係止される。
【００３０】
第１鍔部４１のうち押圧板部３５に対向配置された第１鍔部４１の内面には、第１鍔部４１の下面と第１嵌合筒部４２の内面に接続されて下方へ延びるリブ４５が設けられる。リブ４５の下端は、第１嵌合筒部４２の下端面と略同一平面上の位置まで延びる。また、リブ４５の押圧板部３５側の内面は、押圧板部３５が押圧操作されていない状態で、押圧板部３５の外面との間に隙間４６を有して対向している。このため、押圧板部３５が押圧操作されていない状態では、押圧板部３５はリブ４５と非接触状態にある。隙間４６の大きさは、押圧板部３５が押圧されて回動したときに、支持部３６の捻じれ角度が大きくなって支持部３６が破損する虞のない許容捻じれ角度を考慮して設定される。本実施形態では、リブ４５は、図３（ａ）に示すように、押圧板部３５に対して、周方向に間隔を有して２つ配置される。
【００３１】
外容器３０の外周部３１の内面には、外周部３１の上端及び内面が開口して下方へ窪む係止凹部４７が設けられる。本実施形態では、係止凹部４７は、平面視において押圧板部３５に対して周方向に９０°ずれた位置に配置される。この係止凹部４７には、内容器１０の外周部１５の外面に設けられた図示しない係止突起部が嵌合して、内容器１０と外容器３０とが周方向に一体的に結合される。
【００３２】
＜内容器１０＞
内容器１０は、図２に示すように、上部が開口して有底筒状に形成される。本実施形態では、内容器１０は円筒状に形成された外周部１５と、外周部１５の下端に繋がって平面視において円形状に形成された底部１６と、を有する。底部１６の周縁部は径方向外側へ突出する方向に湾曲する。内容器１０は、外容器３０と相似形状であって外容器３０よりも小さい。このため、外容器３０内に内容器１０が収納可能である。外容器３０内に内容器１０が収納されると、外容器３０の上端部から内容器１０の外周部１５上側の口部１１が延出する。内容器１０の口部１１の外面には、雄ねじ部１７が設けられる。この雄ねじ部１７にキャップ５０が螺合する。口部１１の上端部の内側には、下方に窪む掛止段部１８が設けられる。掛止段部１８には、中蓋２１が着脱可能に装着される。
【００３３】
（挿入凹部１９）
内容器１０の外周部１５には、図２及び図４（ａ）に示すように、径方向内側へ向かって回動する押圧板部３５の上側３５ａを挿入可能な挿入凹部１９が設けられる。本実施形態では、挿入凹部１９は、内容器１０の外周部１５のうち押圧板部３５の上側３５ａと対向する位置に設けられる。挿入凹部１９は、側面視において横長の長方形状に形成される。挿入凹部１９は、外容器３０の第１鍔部４１の上面と同一平面上の位置から上方へ向かって延びて押圧操作されていない状態の押圧板部３５の上面よりも僅かに上方の位置まで延びる。また、挿入凹部１９は、押圧板部３５の周方向長さよりも大きい長さを有する。このため、押圧板部３５が押圧操作されて内容器１０側に回動すると、押圧板部３５の上側３５ａを挿入凹部１９内に挿入することができる。
【００３４】
（傾斜面１９ａ）
挿入凹部１９の径方向内側の上端隅部には、図４（ａ）に示すように、縦断面視において内側から外側へ向かって上側へ傾斜する傾斜面１９ａが設けられる。本実施形態では、傾斜面１９ａは内側から外側へ向かって上側へ凸状に湾曲する湾曲面を形成する。傾斜面１９ａは、所定の曲率半径を有して形成されている。この傾斜面１９ａに、径方向内側へ向かって回動する押圧板部３５の内側上端隅部３５ｃが押圧すると、外容器３０に対して内容器１０が上方へ相対移動する。傾斜面１９ａと押圧板部３５との押圧による作用の詳細は、後述する。なお、傾斜面１９ａは、内側から外側へ向かって上側へ凸状に湾曲するものに限るものではなく、内側から外側へ向かって上側へ直線状に延びるものでもよい。
【００３５】
（係合凹部１３）
内容器１０の外周部１５には、図４（ａ）及び図４（ｂ）に示すように、挿入凹部１９よりも下方の位置に設けられて径方向内側に窪んだ係合凹部１３が設けられる。係合凹部１３は係止突起部３７を係止可能である。本実施形態では、係合凹部１３は、内容器１０の外周部１５のうち押圧板部３５に設けられた係止突起部３７と対向する位置に設けられる。係合凹部１３は、側面視で横長の長方形状に形成される。係合凹部１３の上下方向長さは、係止突起部３７の対応する長さよりも大きい。また、係合凹部１３の周方向長さは、係止突起部３７の対応する長さよりも大きい。内容器１０の外周部１５に対する係合凹部１３の上下方向位置は、押圧板部３５が押圧されて挿入凹部１９内に移動したときに、係止突起部３７との係止状態を解除可能な位置に設けられる。
【００３６】
係合凹部１３は、図４（ｂ）に示すように、押圧板部３５の内側上端隅部３５ｃが傾斜面１９ａに押圧して内容器１０が外容器３０に対して上方へ相対移動することによって、係止突起部３７を乗り越え可能な位置Ｐｎに移動する。本実施形態では、乗り越え可能な位置Ｐｎとは、係合凹部１３の下側端部が係止突起部３７の平面部３７ｃに対向する位置を意味する。このため、内容器１０を上方へ引き抜く際に係合凹部１３が係止突起部３７に引っ掛かる虞はない。よって、内容器１０を外容器３０に対して容易に引き抜くことができる。
【００３７】
なお、乗り越え可能な位置Ｐｎは、係合凹部１３の下側端部が係止突起部３７の平面部３７ｃに対向する位置に限るものではなく、係止突起部３７の傾斜面３７ａに対向する位置、押圧板部３５の係止突起部３７よりも上側の内面に対向する位置でもよい。
【００３８】
（中蓋２１）
内容器１０の外周部１５の上端部に設けられた掛止段部１８には、図２に示すように、円形状の中蓋２１が着脱可能に装着される。中蓋２１の周縁部には、掛止段部１８に掛止される掛止部２２が設けられる。掛止部２２は、中蓋２１の周縁部から上方へ延びた環状の突出部２２ａと、突出部２２ａの上端部から径方向外側に延びる環状の掛止突出部２２ｂと、を有する。掛止突出部２２ｂの外径は、掛止段部１８から上方へ延びる環状の内周面の内径よりも小さい。よって、掛止突出部２２ｂの下面が掛止段部１８上に載置された状態で、中蓋２１は内容器１０の上端部に着脱可能に装着される。中蓋２１の上面には、把持部２４が設けられる。
【００３９】
＜キャップ５０＞
キャップ５０は、図２に示すように、内容器１０の開口に対向する天壁部５１と、天壁部５１の周縁部から下方へ延びる筒状の外壁部５２と、を有する。天壁部５１は、平面視において円形状に形成され、天壁部５１の周縁部には、天壁部よりも下方に位置して周方向に円環状に延びる押圧段部５４が設けられる。押圧段部５４の下面は密封シール５６（本実施形態では、Ｏリング）及びシール蓋６０を介して内容器１０の口部１１の上端に接触する。押圧段部５４には、上下方向に貫通する空気抜き用の孔部５４ａが設けられる。
【００４０】
押圧段部５４の周縁部には、下方へ延びる外壁部５２が設けられる。外壁部５２は、内容器１０の口部１１及び押圧板部３５の上側３５ａの夫々の径方向外側に位置する。外壁部５２の内面には雄ねじ部１７に螺合可能な雌ねじ部５２ａが設けられる。外壁部５２の下部には、径方向外側へ突出する環状の第２鍔部５５が設けられる。第２鍔部５５の径方向外側には、上方へ突出する第２嵌合筒部５７が設けられる。第２嵌合筒部５７は、その外面が下方から上方へ向かって径方向内側へ傾斜する第２傾斜面５８を有する。この第２傾斜面５８によって、図１に示す外キャップ５の装着を容易にする。第２傾斜面５８には、径方向外側へ突出する係止突起部５９が設けられる。係止突起部５９は、外キャップ５の内面に設けられた図示しない係合凹部と係合して、外キャップ５がキャップ５０の第２鍔部５５に係止可能である。
【００４１】
（シール蓋６０）
キャップ５０の内側には、図２に示すように、内容器１０の開口に対向するシール蓋６０が設けられる。シール蓋６０は、軸方向視において円形状であり、キャップ５０の内側に装着される。シール蓋６０の上面には、径方向内側から外側に向かって間隔を有して係止突出部６１及び装着突起部６３が設けられる。
【００４２】
係止突出部６１は、シール蓋６０の上面からキャップ５０の天壁部５１に向かって突出して筒状に形成され、係止突出部６１の外側には係止凸部６１ａが設けられる。この係止凸部６１ａは、キャップ５０の押圧段部５４の内側から上方へ延びる周壁５３の内面に設けられた係合凸部５３ａと係合して、シール蓋６０をキャップ５０に接続する。装着突起部６３は、シール蓋６０の上面から押圧段部５４に向かって突出して筒状に形成されて、装着突起部６３の径方向外側に密封シール５６が配置される。
【００４３】
（付け替え式容器１の作用・効果）
次に、本発明の付け替え式容器１の作用について説明する。
先ず、外容器３０から内容器１０を取り外す場合について説明する。本実施形態では、図２に示すように、外容器３０内に内容器１０が収納され、内容器１０の口部１１に中蓋２１が装着され、さらにキャップ５０が内容器１０に装着された状態から内容器１０を取り外す場合について説明する。
【００４４】
内容器１０を取り外すには、先ず、内容器１０に対してキャップ５０を回転させて、内容器１０からキャップ５０を取り外す。キャップ５０が取り外されると、内容器１０の口部１１及び押圧板部３５の上側３５ａが露出する。ここで、押圧板部３５の上側３５ａが露出した状態では、図４（ａ）に示すように、押圧板部３５の係止突起部３７は、内容器１０の係合凹部１３に係止された状態にある。このため、内容器１０は外容器３０に係止された状態にある。
【００４５】
そこで、図４（ｂ）に示すように、押圧板部３５の上側３５ａを内容器１０側へ向かって押圧すると、押圧板部３５は支持部３６（図３（ｃ）参照）を支点として押圧板部３５の上側３５ａが径方向内側に回動して挿入凹部１９内に移動するとともに、押圧板部３５の下側３５ｂが径方向外側に回動する。したがって、係止突起部３７が係合凹部１３から抜脱されて、係合凹部１３は、係止突起部３７との係止状態が解除される。
【００４６】
ここで、押圧板部３５に作用する押圧力が増大すると、支持部３６（図３（ｃ）参照）のねじれ角度が増大して破損する虞が生じる。そこで、外容器３０の外周部１５に設けられた第１鍔部４１に、押圧板部３５よりも径方向外側に隙間４６を有して軸方向に延びるリブ４５を設けることで、径方向外側に回動した押圧板部３５の下側３５ｂがリブ４５に当接し、押圧板部３５の回転角度が制限されるので、支持部３６のねじれ角度も抑制されて、支持部３６の破損を防止することができる。
【００４７】
また、押圧板部３５の回動と同時に、押圧板部３５の内側上端隅部３５ｃが傾斜面１９ａに当接すると、傾斜面１９ａには、傾斜面１９ａに直交して斜め上方に向く押圧力が作用する。このため、この上方に向く押圧力によって、内容器１０は外容器３０に対して上方へ相対移動する。従って、係合凹部１３は、係止突起部３７を乗り越え可能な位置Ｐｎに移動する。よって、押圧板部３５の押圧操作を止めても、係合凹部１３は、係止突起部３７の平面部３７ｃ又は傾斜面３７ａに摺接するので、係合凹部１３が係止突起部３７に引っ掛かる虞はない。したがって、内容器１０を外容器３０から引き抜く操作だけで、内容器１０を引き抜くことができ、内容器１０の引き抜き操作をより容易にすることができる。
【００４８】
また、押圧板部３５は外容器３０に設けられているので、内容器１０を取り外す際に押圧板部３５の上側３５ａを内容器１０側へ向かって押圧する場合、外容器３０を把持しながら押圧板部３５を押圧操作する。このため、押圧板部３５を押圧操作して係合凹部１３の係止状態を解除したときに、外容器３０は把持されているので、外容器３０が落下する虞はない。また、本実施形態では、押圧板部３５は、外容器３０の径方向両側に対向して一対配置されているので、押圧板部３５を押圧操作する場合、一対の押圧板部３５を把持しながら押圧操作されるので、外容器３０は一対の押圧板部３５を介しては把持される。このため、係合凹部１３の係止状態が解除されたときに、外容器３０が落下する虞はない。
【００４９】
なお、内容器１０を外容器３０から取り外す場合には、中蓋２１を内容器１０から取り外した状態で内容器１０を外容器３０から取り外してもよいし、また中蓋２１が内容器１０に装着されたままでの状態で、内容器１０を外容器３０から取り外してもよい。
【００５０】
次に、内容器１０を外容器３０に装着する場合について説明する。内容器１０以外の容器を再利用する場合には、空になった内容器１０を取り外した後に、内容物が充填された新たな内容器１０を用意する。
【００５１】
内容物が充填された新たな内容器１０の底部１６側を外容器３０の開口側へ向けた状態で、内容器１０を外容器３０内に挿入する。この際、内容器１０の外周部１５に設けられた図示しない係合突起と、外容器３０の外周部３１の内面に設けられた係止凹部４７（図３（ａ）参照）とを嵌合させる。従って、内容器１０と外容器３０は周方向に一体的に結合される。また、内容器１０を外容器３０内に挿入する際には、内容器１０の外周部１５が、押圧板部３５の係止突起部３７の平面部３７ｃ及び傾斜面３７ａ上を摺接しながら下方へ移動する。
【００５２】
そして、内容器１０の係合凹部１３が係止突起部３７に対向する位置に移動すると、押圧板部３５の下側３５ｂは支持部３６を支点として内容器１０側に回動して係止突起部３７が係合凹部１３内に移動して、係合凹部１３が係止突起部３７に係止される。従って、内容器１０は外容器３０に係止された状態となり、内容器１０を外容器３０から抜脱できない状態になる。
【００５３】
内容器１０が外容器３０内に収納されると、キャップ５０の雌ねじ部５２ａを内容器１０の雄ねじ部１７に螺合して、キャップ５０を内容器１０に装着し、内容器１０の取り換え作業が終了する。
【実施例】
【００５４】
押圧板部３５は、図５（ａ）に示すように、平面視において湾曲しているが、押圧板部３５の幅Ｂを大きくし過ぎると、押圧板部３５の上側３５ａを内容器１０側に押圧し難くなる。このため、押圧板部３５の下側３５ｂが回動し難くなる虞がある。そこで、押圧板部３５の形状を変えた外容器３０を試作して比較した。外容器３０の主要な寸法を図５（ａ）、図５（ｂ）に示す。
【００５５】
図５（ａ）及び図５（ｂ）において、
外容器３０の内径をＤ、
押圧板部３５の幅をＢ、
押圧板部の肉厚をｔ、
切り欠き部の幅をＷ、とした。
なお、図中、Ａは係止突起部３７の幅を示す。
ここで、上記４つのパラメータ（Ｄ、Ｂ、ｔ、Ｗ）を変えて、外容器３０の実施例１及び実施例２を試作した。
【００５６】
実施例１は、Ｄ＝５１ｍｍ、Ｂ＝２３ｍｍ、ｔ＝１．５ｍｍ、Ｗ＝２５ｍｍ、（Ｂ／Ｄ＝２３ｍｍ／５１ｍｍ≒０．４５）である。
実施例２は、Ｄ＝５１ｍｍ、Ｂ＝１８ｍｍ、ｔ＝１．５ｍｍ、Ｗ＝２１ｍｍ、（Ｂ／Ｄ＝１８ｍｍ／５１ｍｍ≒０．３５）である。
実施例１及び実施例２では、押圧板部３５の作動性が良好であることが確認できた。Ｂ／Ｄが０．４５より大きくなると押圧板部３５の作動性は悪くなり、Ｂ／Ｄが０．３５より小さくなると押圧板部３５の作動性は良くなるが、内容器１０の係止状態が悪くなる傾向であった。
【００５７】
以上、実施形態に沿って本発明の構成とその作用効果について説明したが、本発明の実施形態は上記に限定されるものではない。
【産業上の利用可能性】
【００５８】
本発明は、外容器に対して内容器を取り換え可能にする付け替え式容器の分野における用途展開をさらに広い領域で図ることができる。
【符号の説明】
【００５９】
１  ：  付け替え式容器
３  ：  外ケース
５  ：  外キャップ
１０  ：  内容器
１１  ：  口部
１３  ：  係合凹部
１５、３１  ：  外周部
１６、４０  ：  底部
１７  ：  雄ねじ部
１８  ：  掛止段部
１９  ：  挿入凹部
１９ａ  ：  傾斜面
２１  ：  中蓋
２２  ：  掛止部
２２ａ  ：  突出部
２２ｂ  ：  掛止突出部
２４  ：  把持部
３０  ：  外容器
３３  ：  切り欠き部
３５  ：  押圧板部
３５ａ  ：  押圧板部の上側
３５ｂ  ：  押圧板部の下側
３５ｃ  ：  内側上端隅部
３６  ：  支持部
３７、４４、５９  ：  係止突起部
３７ａ  ：  傾斜面
３７ｂ  ：  当接面
３７ｃ  ：  平面部
４１  ：  第１鍔部
４２  ：  第１嵌合筒部
４３  ：  第１傾斜面
４５  ：  リブ
４６  ：  隙間
４７  ：  係止凹部
５０  ：  キャップ
５１  ：  天壁部
５２  ：  外壁部
５２ａ  ：  雌ねじ部
５３  ：  周壁
５３ａ  ：  係合凸部
５４  ：  押圧段部
５４ａ  ：  孔部
５５  ：  第２鍔部
５６  ：  密封シール
５７  ：  第２嵌合筒部
５８  ：  第２傾斜面
６０  ：  シール蓋
６１  ：  係止突出部
６１ａ  ：  係止凸部
６３  ：  密着突起部
Ｏ  ：  容器軸
Ｐｎ  ：  乗り越え可能な位置
【図１】
2020196493.tif 000003
【図２】
2020196493.tif 000004
【図３】
2020196493.tif 000005
【図４】
2020196493.tif 000006
【図５】
2020196493.tif 000007